(57)【要約】【課題】液晶への直流成分の印加を抑える。【解決手段】正極性電圧を保持したときの実効値と負極性電圧を保持したときの実効値とを互いに等しくさせるための偏位電圧を、複数の液晶素子のうち、非表示画素の一部の液晶素子に印加する。この後、電源オフするなどして、一部の液晶素子に印加された偏位電圧に基づく電荷を、周辺に位置する液晶素子に拡散させる。【選択図】図１
2010152261.tif 000002
【特許請求の範囲】
【請求項１】
画素電極とコモン電極とで液晶を挟持し、予め定められた基準電圧に対して高位側の正
極性電圧と前記基準電圧に対して低位側の負極性電圧とが一定の周期毎に交互に書き込ま
れる液晶素子を複数有する電気光学装置の駆動方法であって、
前記電気光学装置のフリッカーを緩和するための前記正極性電圧と前記負極性電圧のう
ち、いずれか一方の電圧からなる偏位電圧を、前記複数の液晶素子のうちの一部の液晶素
子に印加し、
前記一部の液晶素子に印加された前記偏位電圧に基づく電荷を、前記一部の液晶素子の
周辺に位置する液晶素子に拡散させる
ことを特徴とする電気光学装置の駆動方法。
【請求項２】
前記複数の液晶素子は、表示用液晶素子と非表示用液晶素子とを含み、
前記一部の液晶素子は、前記非表示用液晶素子である
ことを特徴とする請求項１に記載の電気光学装置の駆動方法。
【請求項３】
前記複数の液晶素子は、表示用液晶素子と非表示用液晶素子とを含み、
前記一部の液晶素子は、前記表示用液晶素子のうちの一部の液晶素子である
ことを特徴とする請求項１に記載の電気光学装置の駆動方法。
【請求項４】
前記一部の液晶素子に前記偏位電圧を書き込んだ後、前記一部の液晶素子における画素
電極とコモン電極との通電を解除する
ことを特徴とする請求項１または２に記載の電気光学装置の駆動方法。
【請求項５】
前記一部の液晶素子に前記偏位電圧を書き込んだ後、前記一部の液晶素子における画素
電極とコモン電極とを同電位とする
ことを特徴とする請求項１または２に記載の電気光学装置の駆動方法。
【請求項６】
予め定められた数のフレーム期間で表示すべき画像を解析して当該画像の平均輝度を求
め、
当該求めた平均輝度に応じた数の前記一部の液晶素子に前記偏位電圧を印加する
ことを特徴とする請求項１または２に記載の電気光学装置の駆動方法。
【請求項７】
画素電極とコモン電極とで液晶を挟持し、予め定められた基準電圧に対して高位側の正
極性電圧と前記基準電圧に対して低位側の負極性電圧とが一定の周期毎に交互に書き込ま
れる複数の液晶素子と、
前記電気光学装置のフリッカーを緩和するための前記正極性電圧と前記負極性電圧のう
ち、いずれか一方の電圧からなる偏位電圧を、前記複数の液晶素子のうちの一部の液晶素
子に印加する駆動回路と、
を有し、
前記一部の液晶素子に印加された前記偏位電圧に基づく電荷を、前記一部の液晶素子の
周辺に位置する液晶素子に拡散させる
ことを特徴とする電気光学装置。
【請求項８】
請求項７に記載の電気光学装置を有することを特徴とする電子機器。
【発明の詳細な説明】
【技術分野】
【０００１】
本発明は、いわゆる電気光学装置の焼き付き等を防止する技術に関する。
【背景技術】
【０００２】
液晶表示装置のような電気光学装置に用いられる液晶素子は、画素電極およびコモン電
極で液晶を挟持した構成である。液晶に直流成分が印加されると劣化するので、これを防
止するため、画素電極に印加する電圧は、コモン電極に対して高位側の正極性電圧と低位
側の負極性電圧とで交互に切り替えられる（交流駆動）。ただし、交流駆動の際に、正極
性電圧の実効値と負極性電圧の実効値とがなんらかの理由で異なってしまうと、結果的に
液晶に直流成分が印加されて、過去に表示した画像が残像となって現れる。液晶への直流
成分の印加による残像現象は、ＣＲＴにおいて同一画像を長期間にわたり表示することに
よって蛍光面が焼き付いたときの現象と似ていることから、同様に焼き付きと呼ばれるこ
とが多い。
正極性電圧の実効値と負極性電圧の実効値とを互いに等しくさせるためには、正極性電
圧の印加による透過率（明るさ）と負極性電圧の印加による透過率との差が最小となるよ
うに、すなわちフリッカーが最小となるように、コモン電極を設定する技術が知られてい
る（例えば特許文献１参照）。
【特許文献１】特開２００２−１８９４６０号公報
【発明の開示】
【発明が解決しようとする課題】
【０００３】
しかしながら、フリッカーが最小となるようにコモン電極を設定しただけでは、液晶素
子への直流成分の印加を回避できない場合があった。
本発明は、上述した事情に鑑みてなされたもので、その目的とするところは、液晶への
直流成分の印加を、より正確に抑えることが可能な技術を提供することにある。
【課題を解決するための手段】
【０００４】
上記課題を解決するために、本発明に係る電気光学装置の駆動方法にあっては、画素電
極とコモン電極とで液晶を挟持し、予め定められた基準電圧に対して高位側の正極性電圧
と前記基準電圧に対して低位側の負極性電圧とが一定の周期毎に交互に書き込まれる液晶
素子を複数有する電気光学装置の駆動方法であって、前記電気光学装置のフリッカーを緩
和するための前記正極性電圧と前記負極性電圧のうち、いずれか一方の電圧からなる偏位
電圧を、前記複数の液晶素子のうちの一部の液晶素子に印加し、前記一部の液晶素子に印
加された前記偏位電圧に基づく電荷を、前記一部の液晶素子の周辺に位置する液晶素子に
拡散させることを特徴とする。本発明によれば、一部の液晶素子に印加した偏位電圧に基
づく電荷が、周辺の液晶素子へと拡散するので、周辺の液晶素子に偏位電圧を印加するこ
となく、さらにコモン電極の電圧を調整することなく、特性差等に起因する液晶の直流成
分の印加を低減することが可能となる。
【０００５】
本発明において、前記複数の液晶素子は、表示用と非表示用とを含み、前記一部の液晶
素子は、前記非表示用としても良い。このように非表示用の液晶素子に偏位電圧を印加す
ることによって、表示に与える影響を最小限にとどめることができる。また、前記一部の
液晶素子は、前記表示用液晶素子のうちの一部の液晶素子であっても良い。
本発明において、前記一部の液晶素子に前記偏位電圧を書き込んだ後、前記一部の液晶
素子における画素電極とコモン電極との通電を解除しても良い。このように通電を解除す
ると、一部の液晶素子に蓄積された電荷が周辺の液晶素子に拡散しやすくなる。また、前
記一部の液晶素子に前記偏位電圧を書き込んだ後、前記一部の液晶素子における画素電極
とコモン電極とを同電位としても、一部の液晶素子に蓄積された電荷が周辺の液晶素子に
拡散しやすくなる。なお、画素電極とコモン電極とを同電位とすると、ノーマリーブラッ
クモードであれば黒表示となるので、いわゆる黒挿入と同じ状態となる。
本発明において、予め定められた数のフレーム期間で表示すべき画像を解析して当該画
像の平均輝度を求め、当該求めた平均輝度に応じた数の液晶素子に前記偏位電圧を印加し
ても良い。平均輝度が判ると、液晶素子に印加すべき電圧の平均値が判り、補正に必要な
電圧も判る。
なお、本発明は、電気光学装置の駆動方法のみならず、電気光学装置や、当該電気光学
装置を有する電子機器としても概念することが可能である。
【発明を実施するための最良の形態】
【０００６】
以下、本発明を実施するための形態について説明する。図１は、実施形態に係る電気光
学装置の構成を示すブロック図である。
この図に示されるように、電気光学装置１０は、制御回路２０、操作子３０、表示パネ
ル１００、Ｙドライバ１３０およびＸドライバ１４０を有する。
【０００７】
ここで、説明の便宜上、表示パネル１００の構成について説明する。表示パネル１００
は、素子基板１００ａと対向基板１００ｂとを一定の間隙を保って貼り合わせるとともに
、この間隙に液晶１０５を封止した構成となっている。
素子基板１００ａのうち、対向基板１００ｂとの対向面には、本実施形態では１２０行
の走査線１１２が図において横方向に延在し、また、１６０列のデータ線１１４が図にお
いて縦方向に延在し、かつ、各走査線１１２と互いに電気的に絶縁を保つように設けられ
ている。なお、走査線１１２を区別するために、以下の説明では図において上から順に１
、２、３、…、１２０行目という呼び方をする場合がある。同様に、データ線１１４を区
別するために、図において左から順に１、２、３、…、１６０列目という呼び方をする場
合がある。
【０００８】
素子基板１００ａでは、さらに、走査線１１２とデータ線１１４との交差のそれぞれに
対応して、ｎチャネル型のＴＦＴ１１６と矩形形状で透明性を有する画素電極１１８との
組が設けられている。ＴＦＴ１１６のゲート電極は走査線１１２に接続され、ソース電極
はデータ線１１４に接続され、ドレイン電極が画素電極１１８に接続されている。
一方、対向基板１００ｂのうち、素子基板１００ａとの対向面には、透明性を有するコ
モン電極１０８が全面にわたって設けられている。
【０００９】
したがって、表示パネル１００における等価回路は、図２に示される通りとなり、走査
線１１２とデータ線１１４との交差に対応して、画素電極１１８とコモン電極１０８とで
液晶１０５を挟持する液晶素子１２０が設けられることになる。
ここで、コモン電極１０８には、図示省略した電圧供給回路によって電圧Ｖcomが印加
される。
この液晶素子１２０では、画素電極１１８およびコモン電極１０８の差電圧が保持され
るとともに、両電極間で生じる電界に応じて液晶１０５の分子の配向状態が変化する。こ
のため、液晶素子１２０は、透過型であれば、保持した差電圧の実効値に応じた透過率と
なる。表示パネル１００では、液晶素子１２０毎に透過率が変化するので、これが表示パ
ネルにおける画素となる。
本実施形態では、走査線１１２が１２０行であり、データ線１１４が１６０列であるの
で、図３に示されるように、表示パネル１００において画素が、縦１２０行×横１６０列
でマトリクス状に配列することになるが、このうち、上下の各３０行分、および、左右の
各４０列分の画素は、遮光膜等で覆われて、表示に寄与しない非表示画素として用いられ
、残りの３１行目〜９０行目であって４１列目〜１２０列目の画素が、表示画素として用
いられる。
【００１０】
ここで、非表示画素も表示画素も電気的な等価回路でみれば同一である。すなわち、選
択した走査線１１２に選択電圧を印加させるとともに、選択した走査線１１２に対応する
液晶素子１２０に対して、目的とする階調に応じた電圧のデータ信号を、データ線１１４
を介して供給させると、選択走査線におけるＴＦＴ１１６がオン状態となり、当該データ
信号が、オン状態のＴＦＴ１１６を介して画素電極１１８に印加される。
このため、表示画素であれば、液晶素子１２０に対し階調に応じた電圧を印加・保持さ
せて、階調に応じた透過率とさせて視認させることができる。また、非表示画素でも、液
晶素子１２０に対しデータ信号に応じた電圧を印加・保持させることができるが、視認さ
れることはない。
走査線に非選択電圧を印加して、ＴＦＴ１１６をオフ状態とさせても、ＴＦＴ１１６が
オン状態のときに液晶素子１２０に書き込まれた電圧は、その容量性によりに保持される
。
【００１１】
なお、液晶１０５に直流成分が印加されるのを防止するため、データ信号の電圧は、ビ
デオ振幅中心電圧（基準電圧）Ｖcに対して高位側の正極性電圧と低位側の負極性電圧と
に一定周期毎に、例えばフレーム期間毎に交互に切り替えられる。
ここで、フレーム期間とは、表示パネル１００を駆動することによって、画像の１コマ
分を表示させるのに要する時間をいい、垂直走査周波数が６０Ｈｚであれば、その逆数で
ある１６．７ミリ秒である。また、電圧については、特に説明のない限り、図示省略した
電源の接地電位を電圧ゼロの基準としている。
１フレームの期間において画素の書込極性を空間的にどのような配列させるかについて
は、走査線毎に反転させる行反転方式、データ線毎に反転させる列反転方式、走査線およ
びデータ線方向に対して隣り合う画素毎に反転させる画素反転方式などあるが、本実施形
態では、すべて同一極性とする面反転方式とする。面反転方式では、同一フレーム期間に
わたって全画素に対し同一の書込極性が指定されるとともに、書込極性がフレーム期間毎
に反転する。
【００１２】
制御回路２０は、タイミング制御回路２２とデータ信号変換回路２４とに分けられる。
このうち、タイミング制御回路２２は、図示省略した上位装置から供給される垂直同期
信号Ｖsync、水平同期信号Ｈsyncおよびドットクロック信号Ｄckに基づいて各部を制御す
る。詳細には、タイミング制御回路２２は、Ｙドライバ１３０に対し、垂直同期信号Ｖsy
ncによって規定される垂直走査期間（フレーム期間）の開始タイミングにスタートパルス
Ｄyを出力するとともに、水平同期信号Ｈsyncの供給周期で規定される水平走査期間の２
倍の周期を有するクロック信号Ｃlyを出力する一方、Ｘドライバ１４０に対し、水平走査
期間の開始タイミングにスタートパルスＤxを出力するとともに、ドットクロック信号Ｄc
kの供給周期に応じた周期のクロック信号Ｃlxを出力する。
また、タイミング制御回路２２は、データ信号変換回路２４に対し信号Ｆrpによって書
込極性を指定する。上述したように本実施形態では、フレーム反転方式としているので、
信号Ｆrpは、図４に示されるようにフレーム期間毎に極性反転する。なお、信号Ｆrpは、
Ｈレベルであるときに正極性書込を指定し、Ｌレベルであるときに負極性書込を指定する
ものとする。
なお、タイミング制御回路２２は、操作子３０が操作されたとき、後述するように特定
の液晶素子に偏位電圧を印加すべき旨を、データ信号変換回路２４に指示する。
【００１３】
データ信号変換回路２４は、上記上位装置から供給されるデジタルの映像信号Ｖidを、
基準電圧Ｖcに対して信号Ｆrpにより指定される極性のアナログのデータ信号ｄsに変換し
て出力するものである。ここで、映像信号Ｖidは、表示パネル１００の各画素について明
るさ（階調）をそれぞれ指定するデジタルデータであり、垂直同期信号Ｖsync、水平同期
信号Ｈsyncおよびドットクロック信号Ｄckにしたがった走査の順で画素毎に供給される。
【００１４】
Ｙドライバ１３０は、１行目の画素に対応する映像信号Ｖidが供給される水平走査期間
において走査信号Ｇ1をＨレベルとし、同様に２、３、４、…、１２０行目の画素に対応
する映像信号Ｖidが供給される水平走査期間において走査信号Ｇ2、Ｇ3、Ｇ4、…、Ｇ120
を順次Ｈレベルとする走査線駆動回路である。詳細には、Ｙドライバ１３０は、図４に示
されるように、スタートパルスＤyをクロック信号Ｃlyにしたがって順次シフトさせると
ともに、パルス幅をクロック信号Ｃlyの半周期に狭めた走査信号Ｇ1、Ｇ2、Ｇ3、Ｇ4、…
、Ｇ120を、１、２、３、４、…、１２０行目の走査線１１２に供給する構成となってい
る。
なお、走査信号のＨレベルは、ＴＦＴ１１６をオン（導通）状態とさせる選択電圧ＶH
であり、走査信号のＬレベルは、ＴＦＴ１１６をオフ（非導通）状態とさせる非選択電圧
ＶLである。
【００１５】
Ｘドライバ１４０は、走査信号がＨレベルとなっている行であって１〜１６０列目の画
素に対応するデータ信号ｄsを、それぞれ１〜１６０列目のデータ線１１４にサンプリン
グするデータ線駆動回路である。Ｘドライバ１４０の詳細については省略するが、スター
トパルスＤxをクロック信号Ｃlxにしたがって順次シフトさせるとともに、パルス幅をク
ロック信号Ｃlxの半周期に狭めたサンプリング信号を１、２、３、…、１６０列目に対応
して出力し、データ信号変換回路２４によって変換されたデータ信号ｄsを、当該サンプ
リング信号にしたがってそれぞれデータ線１１４にサンプリングする構成となっている。
なお、１、２、３、…、１６０列目のデータ線１１４にサンプリングされるデータ信号
を、図１において、それぞれｄ1、ｄ2、ｄ3、…、ｄ160と表記している。
【００１６】
次に、実施形態に係る電気光学装置１０の表示のための書込動作について説明する。上
位装置からは、映像信号Ｖidが、１行１列〜１行１６０列、２行１列〜２行１６０列、３
行１列〜３行１６０列、…、１２０行１列〜１２０行１６０列の画素の順番でフレーム期
間にわたって供給される。
ここで、正極性書込が指定される奇数ｎフレームにおいて、１行１列〜１行１６０列の
映像信号Ｖidが供給される水平走査期間では、当該映像信号Ｖidがデータ信号変換回路２
４によって正極性のデータ信号ｄsに変換されるとともに、当該データ信号ｄsがＸドライ
バ１４０によって１、２、３、…、１６０列目のデータ線１１４にデータ信号ｄ1、ｄ2、
ｄ3、…、ｄ160としてサンプリングされる。一方、Ｙドライバ１３０によって走査信号Ｇ
1だけがＨレベルとなるので、１行目のＴＦＴ１１６がオン状態となる。これにより、デ
ータ線１１４にサンプリングされたデータ信号は、オン状態にあるＴＦＴ１１６を介して
画素電極１１８に印加されるので、１行１列〜１行１６０列の液晶素子には、それぞれ階
調に応じた正極性電圧が書き込まれることになる。
次に、２行１列〜２行１６０列の映像信号Ｖidが供給される水平走査期間では、同様に
して、当該映像信号Ｖidが正極性のデータ信号ｄsに変換されるとともに、当該データ信
号ｄsがデータ線１１４にサンプリングされる。一方、走査信号Ｇ2だけがＨレベルとなる
ので、２行目のＴＦＴ１１６がオン状態となる。これにより、データ線１１４にサンプリ
ングされたデータ信号が、画素電極１１８に印加されるので、２行１列〜２行１６０列の
液晶素子には、それぞれ階調に応じた正極性電圧が書き込まれることになる。以下同様な
書込動作が３、４、…、１２０行目に対して実行される。
次の偶数（ｎ＋１）フレームにおいては、信号Ｆrpの反転により、映像信号Ｖidが負極
性のデータ信号ｄsに変換される以外、同様な書込動作が実行される。これにより、各液
晶素子には、それぞれ階調に応じた負極性電圧が書き込まれることになる。
このような電圧書込によって、表示パネル１００では、映像信号Ｖidに応じたデータ信
号が書き込まれて、表示画素によって画像が表示される。
【００１７】
ところで、ＴＦＴ１１６では、オフした瞬間にドレイン電極、すなわち画素電極１１８
の電圧を変動させるフィールドスルー（プッシュダウン、突き抜け）や、チャネル領域へ
の侵入光によりオフリークが発生する。ここで、コモン電極１０８に印加する電圧Ｖcom
を、正負振幅の基準電圧Ｖcに一致させると、液晶素子に印加される電圧の実効値は、フ
ィールドスルー等のために、負極性の方が正極性よりも大きくなってしまう（ＴＦＴ１１
６がｎチャネル型の場合）。このため、コモン電極１０８に印加する電圧Ｖcomについて
は、基準電圧Ｖcよりも若干低位側にオフセットするとともに、そのオフセット量につい
ては、フリッカーが最小となるように初期段階（工場出荷前）で調整される。
ここで、フィールドスルー等による電圧変動分をΔＶ1とすると、コモン電極１０８に
印加する電圧Ｖcomは、フリッカーを最小とさせる調整によって、基準電圧Ｖcよりも、電
圧変動分ΔＶ1を相殺する方向の低位側にオフセットされることになる。
【００１８】
一方、素子基板１００ａと対向基板１００ｂとでは、電極材料や配向膜の厚さなどの相
違に基づく特性の非対称性（特性差）が存在する。この特性差も、液晶に直流成分が印加
される原因の一つである。このため、コモン電極１０８に印加する電圧Ｖcomを、フリッ
カーが最小となるように設定しただけでは、液晶に印加される直流成分が時間経過ととも
に増大し、最小となるように調整したはずのフリッカーが大きくなってしまう場合がある
。この特性差に起因する電圧変動分をΔＶ2とすると、当該電圧変動分ΔＶ2を相殺させる
電圧を、液晶素子に印加すれば良いことになる。
【００１９】
ただし、特性差に起因する電圧変動分ΔＶ2を相殺させるために、コモン電極１０８に
印加する電圧Ｖcomを再調整すると、すべての液晶素子に一律に変化する関係上、正極・
負極の電圧実効値の差が却って拡大してしまう場合があり得る。かといって、一部の液晶
素子だけに、電圧変動分ΔＶ2を相殺させるような電圧を印加しただけでは、表示パネル
全体のフリッカーを減少させることはできない。
ここで、本件発明者は、一部の液晶素子に、正極または負極に偏った偏位電圧を印加し
た後に、ある特定の条件を付することによって、フリッカーが減少しやすくなる傾向を見
出した。その条件とは、一部の液晶素子に偏位電圧を印加した後に、当該液晶素子の通電
状態を変化させることであり、具体的には、動作状態から、電源オフにすることや、全液
晶素子への印加電圧をゼロとすることである。このように通電状態を変化させると、一部
の液晶素子に印加された偏位電圧に基づく電荷が、パネル面において周辺の画素に拡散し
て、あたかも電圧変動分ΔＶ2を相殺させたかのようにフリッカーが減少する。
【００２０】
図５を用いて本発明の効果を説明する。図５は、駆動状態と電源オフ状態それぞれにお
けるフリッカーの経時変化を示す図である。電源オフ状態においては、ある一定時間毎に
表示パネル１００を動作させてフリッカーを測定した。詳細には、図５に示されるように
、駆動状態において、一部の液晶素子に偏位電圧を印加して電圧を偏らせても、表示パネ
ル１００の全体的なフリッカーは、偏位電圧を印加しない場合と、大きな相違はないが、
電源オフとさせると、偏位電圧を印加した場合の方が、偏位電圧を印加しない場合よりも
、フリッカーが大きく減少する。また、再び駆動状態にさせると、偏位電圧を印加したこ
とにより、電圧変動分ΔＶ2がある程度相殺するために、フリッカーの増加が抑えられて
いる。
【００２１】
また、偏位電圧を印加した直後の画素は、映像信号に基づく内容とは違った表示になる
ことから、偏位電圧を印加する画素を表示画素の中から選択すると、目立ってしまう。こ
のため、偏位電圧を印加する画素を非表示画素の一部にして、表示上の不具合として視認
されないようしている。
【００２２】
以上を踏まえて、本実施形態において、特性差に起因する電圧変動分ΔＶ2を相殺させ
るための動作について説明する。なお、この動作では、コモン電極１０８に印加する電圧
Ｖcomは、基準電圧Ｖcに対して電圧変動分ΔＶ1だけ低位側に設定されているものとする
。
まず、操作子３０が操作されると、タイミング制御回路２２は、データ信号変換回路２
４に対し、非表示画素の一部に偏位電圧を印加するように指示する。
【００２３】
タイミング制御回路２２からの指示を受けると、データ信号変換回路２４は、表示画素
に対しては、上述した表示動作と同様に、映像信号Ｖidを信号Ｆrpによって指定された極
性に変換した電圧のデータ信号を出力する一方、非表示画素の一部に対しては、映像信号
Ｖidにかかわらず、液晶素子に偏位電圧を印加するためのデータ信号を出力する。
【００２４】
なお、この偏位電圧については、正極性書込および負極性書込の２フレーム期間で通し
てみたとき、液晶素子に、電圧変動分ΔＶ2を相殺する方向の極性に偏った電圧が印加さ
れるのであれば良いので、例えば正極性に偏った偏位電圧を液晶素子に印加する場合には
、信号Ｆrpで負極性書込が指定されるフレーム期間であっても、正極性電圧のデータ信号
を供給すれば良い。反対に、負極性に偏った偏位電圧を液晶素子に印加する場合には、信
号Ｆrpで正極性書込が指定されるフレーム期間であっても、負極性電圧のデータ信号を供
給すれば良い。
また、非表示画素の一部としては、例えば図３に示されるように、表示画素に近い８点
（２９行３９列、２９行８０列、２９行１２２列、６０行３９列、６０行１２２列、９２
行３９列、９２行８０列、９２行１２２列）などが考えられるが、これら８点以外であっ
ても良い。
この動作を複数フレーム期間にわたって実行すると、非表示画素における８点の画素の
液晶素子には、偏位電圧に基づく電荷が十分に蓄積される一方、それ以外の画素には、映
像信号に基づく電圧が印加されることになる。
【００２５】
次に、タイミング制御回路２２は、Ｙドライバ１３０およびＸドライバ１４０の駆動を
停止するとともに、コモン電極１０８への電圧Ｖcomの印加を停止させて、電源オフの状
態と同じとする。これにより、８点の画素に蓄積された電荷は、図６に示されるように、
周辺画素に拡散する。このような偏位電圧の印加と通電停止とを何回か繰り返すと、電荷
の拡散により、おおよそすべての液晶素子にわたって、特性差に起因する電圧変動分ΔＶ
2が相殺されることになる。電圧変動分ΔＶ2が相殺されていれば、フリッカーが生じない
ので（または、目立たないので）、その時点で偏位電圧の印加を終了すれば良い。
このように本実施形態によれば、特性差に起因する直流成分の印加を回避することによ
って、フリッカーや焼き付きといった表示上の不具合を改善することが可能となる。
【００２６】
＜応用例等＞
上述した実施形態では、次のような変形・応用が可能である。
【００２７】
＜その１＞
実施形態では、電荷を拡散させるために、Ｙドライバ１３０およびＸドライバ１４０の
駆動を停止するとともに、コモン電極１０８への電圧Ｖcomの印加を停止させたが、実際
に電源オフとしても良いし、液晶素子への印加電圧をゼロまたは僅少とすることによって
も良い。
ここで、液晶素子への印加電圧をゼロまたは僅少にする、とは、ノーマリーブラックモ
ードにおいて透過率を最小とすることとほぼ同じ意味であるので、非表示画素の一部に偏
位電圧を印加した後に、非表示画素および表示画素に黒色に相当する電圧を順次書き込み
（黒挿入）、全画素における液晶素子への印加電圧をゼロまたは僅少とすることによって
、偏位電圧に基づく電荷を周辺画素に拡散させても良い。
【００２８】
さらに、通常の表示動作と組み合わせても良い。例えば、第１に、非表示画素の一部に
は偏位電圧を印加させるデータ信号を書き込む一方、表示画素には映像信号に基づくデー
タ信号を書き込み、第２に、電源オフ等または黒挿入とし、第３に、全画素に映像信号に
基づくデータ信号をそれぞれ書き込み、第４に、電源オフ等または黒挿入する、というサ
イクルを繰り返しても良い。
【００２９】
＜その２＞
特性差に起因する電圧変動分ΔＶ2を相殺するための電圧は、液晶素子における平均透
過率、すなわち、平均輝度に応じて変化する。このため、例えば１フレーム期間分の映像
信号Ｖidを解析して、全画素にわたった平均輝度を算出すれば、必要な補正電圧を求める
ことができる。
なお、必要な補正電圧は、例えばノーマリーブラックモードであれば、平均輝度が高い
ほど（明るいほど）大きくなり、ノーマリーホワイトモードであれば、平均輝度が高いほ
ど小さくなる。
そして、次のフレーム期間に、必要な補正電圧に相当する分だけ電圧を偏らせれば、直
前の１フレーム期間で生じた電圧変動分Ｖ2を相殺できるはずである。
ただし、上記実施形態では、偏位電圧を印加する画素を８点としたために、拡散させる
のに十分な電荷を蓄積させるためには、ある程度多くのフレーム期間を要した。このため
、電圧変動分Ｖ2をより短期間で相殺するためには、より多くの画素に偏位電圧を印加す
る必要がある。
そうであれば、極性反転しない画素数を、例えば走査線単位として、電圧変動分ΔＶ2
に応じて決めれば、直前の１フレーム期間で生じた電圧変動分を次の１フレーム期間とい
う短い期間のうちに相殺することができると考えられる。
以上の考えに基づいて、実施例を改良したのが、次に説明する応用例である。
【００３０】
図７は、この応用例に係る電気光学装置の構成を示すブロック図である。
この図において、図１と相違する部分は、主に解析回路２６、算出回路２７および行数
指示回路２８を有する点にある。
このうち、解析回路２６は、１フレーム期間分の映像信号Ｖidにおける各画素の輝度を
累積するとともに、その累積値を全画素数で除することによって１フレーム期間における
の平均輝度を算出するものである。
算出回路２７は、平均輝度から、特性差に起因する電圧変動分ΔＶ2を求めるものであ
る。なお、算出回路２７は、平均輝度に対する電圧変動分ΔＶ2を出力するＬＵＴ（ルッ
クアップテーブル）であっても良い。
【００３１】
行数指示回路２８は、求められた電圧変動分ΔＶ2から、平均輝度を求めた次のフレー
ム期間において極性反転させない走査線数（ライン数）を指示する。詳細には、全画素の
平均輝度が求められると、液晶素子に印加される電圧の平均値も判り、１行分の画素を極
性反転しない場合の電圧の偏りも判る。このため、ライン数指示回路２８は、求められた
電圧変動分ΔＶ2を相殺するためには、何行分の画素を極性反転しなければ良いのかを求
めて、この行数を、データ信号変換回路２４に指示する。
【００３２】
データ信号変換回路２４は、映像信号Ｖidにおいて、非表示画素の上下各３０行（計６
０行）のうち、行数指示回路２８によって指示された行数分の走査線を選択し、選択した
走査線に対応する画素の映像信号Ｖidについては、信号Ｆrpで指定された極性とは反対極
性の電圧に変換し、他の走査線行の映像信号Ｖidについては、信号Ｆrpで指定された極性
の電圧に変換する。具体的には、選択した走査線に対応する画素に、例えば正極性の偏位
電圧を印加する必要がある場合には、信号Ｆrpによって負極性の電圧が指定されていても
正極性の電圧を印加し、信号Ｆrpによって正極性の電圧が指定されている時は正極性の電
圧を印加する。そして、他の走査線に対応する画素には、信号Ｆrpによって指定されたと
おりの極性の電圧を印加する。
なお、この応用例では、電荷の拡散を促進させるために、上記黒挿入を行う。
【００３３】
このような応用例では、あるフレーム期間において、特性差に起因して生じた電圧変動
分ΔＶ2は、次のフレーム期間において、指定された行数分の走査線を極性反転しないこ
とによる偏位によって相殺される。したがって、この応用例によれば、特性差に起因する
直流成分の印加をより短期間で抑えることが可能となる。
なお、この応用例では、極性反転させない画素を走査線に対応する１行分を単位として
正極、負極の一方に偏位させたが、極性反転させない画素を画素単位で決めるようにして
も良い。
【００３４】
＜その３＞
上述した実施形態では、偏位電圧を印加する液晶素子は非表示用液晶素子であったが、
表示用液晶素子に偏位電圧を印加しても良い。この構成によれば、偏位電圧を印加する画
素において表示上の不具合が視認される可能性はあるものの、電荷が拡散すべき距離が短
くなるため、より短期間で直流成分の印加を解消することが可能となる。
【００３５】
＜電子機器＞
次に、上述した実施形態や応用例に係る電気光学装置を用いた電子機器の一例として、
上述した電気光学装置をライトバルブとして用いたプロジェクタについて説明する。図８
は、このプロジェクタの構成を示す平面図である。
この図に示されるように、プロジェクタ２１００の内部には、ハロゲンランプ等の白色
光源からなるランプユニット２１０２が設けられている。このランプユニット２１０２か
ら射出された投射光は、内部に配置された３枚のミラー２１０６および２枚のダイクロイ
ックミラー２１０８によってＲ（赤）、Ｇ（緑）、Ｂ（青）の３原色に分離されて、各原
色に対応するライトバルブ１０Ｒ、１０Ｇおよび１０Ｂにそれぞれ導かれる。なお、Ｂ色
の光は、他のＲ色やＧ色と比較すると、光路が長いので、その損失を防ぐために、入射レ
ンズ２１２２、リレーレンズ２１２３および出射レンズ２１２４からなるリレーレンズ系
２１２１を介して導かれる。
【００３６】
このプロジェクタ２１００では、表示パネル１００を含む電気光学装置が、Ｒ、Ｇ、Ｂ
の各色に対応して３組設けられる。そして、Ｒ、Ｇ、Ｂの各色に対応する表示データがそ
れぞれ外部上位装置から供給される構成となっている。ライトバルブ１０Ｒ、１０Ｇおよ
び１０Ｂの構成は、上述した実施形態における表示パネル１００と同様であり、Ｒ、Ｇ、
Ｂのそれぞれに対応する映像信号でそれぞれ駆動されるものである。
ライトバルブ１０Ｒ、１０Ｇ、１０Ｂによってそれぞれ変調された光は、ダイクロイッ
クプリズム２１１２に３方向から入射する。そして、このダイクロイックプリズム２１１
２において、Ｒ色およびＢ色の光は９０度に屈折する一方、Ｇ色の光は直進する。したが
って、各色の画像が合成された後、スクリーン２１２０には、投射レンズ２１１４によっ
てカラー画像が投射されることとなる。
【００３７】
なお、ライトバルブ１０Ｒ、１０Ｇおよび１０Ｂには、ダイクロイックミラー２１０８
によって、Ｒ、Ｇ、Ｂの各原色に対応する光が入射するので、カラーフィルタを設ける必
要はない。また、ライトバルブ１０Ｒ、１０Ｂの透過像は、ダイクロイックプリズム２１
１２により反射した後に投射されるのに対し、ライトバルブ１０Ｇの透過像はそのまま投
射されるので、ライトバルブ１０Ｒ、１０Ｂによる水平走査方向は、ライトバルブ１０Ｇ
による水平走査方向と逆向きにして、左右を反転させた像を表示する構成となっている。
【００３８】
電子機器としては、図８を参照して説明した他にも、テレビジョンや、ビューファイン
ダ型・モニタ直視型のビデオテープレコーダ、カーナビゲーション装置、ページャ、電子
手帳、電卓、ワードプロセッサ、ワークステーション、テレビ電話、ＰＯＳ端末、デジタ
ルスチルカメラ、携帯電話機、タッチパネルを備えた機器等などが挙げられる。そして、
これらの各種の電子機器に対して、本発明に係る電気光学装置が適用可能なのは言うまで
もない。
【図面の簡単な説明】
【００３９】
【図１】実施形態に係る電気光学装置の構成を示す図である。
【図２】同電気光学装置における画素の等価回路を示す図である。
【図３】同電気光学装置における画素の配列を示す図である。
【図４】同電気光学装置の表示パネルの動作を示す図である。
【図５】補正電圧の有無によるフリッカーの発生状態を示す図である。
【図６】同表示パネルにおける電荷の拡散を示す図である。
【図７】同電気光学装置の応用例等を示す図である。
【図８】同電気光学装置を適用したプロジェクタを示す図である。
【符号の説明】
【００４０】
１０…電気光学装置、２０…制御回路、２６…解析回路、２８…行数指示回路、１０８…
コモン電極、１１６…ＴＦＴ、１１８…画素電極、１２０…液晶素子、２１００…プロジ
ェクタ
【図１】
2010152261.tif 000003
【図２】
2010152261.tif 000004
【図３】
2010152261.tif 000005
【図４】
2010152261.tif 000006
【図５】
2010152261.tif 000007
【図６】
2010152261.tif 000008
【図７】
2010152261.tif 000009
【図８】
2010152261.tif 000010